(57)【要約】【課題】双方向サービスの広告商品番組（ホームページ）において、広告の内容をリアルタイムに変更する中央処理装置を設置し、広告商品の注文情報を収集し、割引価格を計算、広告へ反映することで、番組（ホームページ）閲覧中でも、その時点の商品割引価格を変更する機能を持たせ、結果的に利用者に購買意欲を与え、商品の売上を向上させることにある。【解決手段】データ放送番組（ホームページ）で案内する商品情報２１、双方向サービスを利用する利用者情報２２を記憶し、双方向サービス利用時に利用者端末３からの注文データを受信する手段を有する双方向サービスシステムの中央処理装置１において、前記広告商品注文データおよび前記商品情報２１と前記利用者情報２２をもとに番組利用者に関する広告商品割引情報を算出し、データ放送番組（ホームページ）の広告商品内容を変更してデータ受発信機能１１経由で番組利用者に配信することで実現する。【選択図】　図１
2004062472.tif 000002
【特許請求の範囲】
【請求項１】
利用者端末とネットワークを介して接続された広告商品割引システムにおいて、商品割引情報を含む商品情報と商品購入頻度を数値化したポイント情報を含む利用者情報を格納する手段と、前記利用者端末からの注文データを受信し、受信した注文データと前記商品割引情報をもとに広告商品割引情報を算出する手段と、算出された前記広告商品割引情報を所定の形式に変更する手段と、編集された前記広告商品割引情報を各種双方向サービス端末に転送する手段とを有し、商品割引情報を提供することを特徴とする広告商品割引システム。
【請求項２】
請求項１に記載の広告商品割引システムにおいて、前記変更する手段は、データ放送番組の形式へ変更することを特徴とする広告商品割引システム。
【請求項３】
請求項１に記載の広告商品割引システムにおいて、前記変更する手段は、ＷＥＢ形式に変更することを特徴とする広告商品割引システム。
【発明の詳細な説明】
【０００１】
【発明の属する技術分野】
本発明は、ＢＳデジタル放送あるいはインターネット等の双方向サービスに関し、広告商品の注文状況に応じた最新の商品割引情報を提供する広告システムに関する。
【０００２】
【従来の技術】
インタラクティブテレビ向けの広告システムに関しては、ＣＡＴＶ局と利用者（加入者）側受信機間の双方向性を利用して、個人向けにカスタマイズ可能としたサービス提供技術（特開平１１−１９５４２１号公報）がある。
【０００３】
また、予め不特定多数の利用者側に複数の対象利用者情報を含んだ商品案内番組を配信することで利用者端末に格納し、また、利用者端末に利用者個別属性情報を設定することで、番組視聴時に利用者個人に最適な商品番組を再生する技術（特開平１１−１６７７８４号公報）が知られている。
【０００４】
【発明が解決しようとする課題】
従来のインタラクティブテレビ向けの広告システムでは、即時性のある広告商品割引機能を持ったシステムは存在していないため、注文状況により可能となる割引情報を広告内容に反映するのに時間と手間が掛かり、番組中に販売価格を含む広告内容を変更することができず、結果として利用者の購買意欲を向上させることができなかった。
【０００５】
本発明の目的は、各種双方向サービスにおいて、割引価格を含む広告情報を編集処理する中央処理装置を設置し、商品広告番組配信中に注文情報を収集、処理することで、番組（ホームページ）閲覧中でも、その時点で最新の商品割引情報を提供する機能を持たせ、結果的に利用者に購買意欲を与え、商品の売上を向上させることにある。
【０００６】
【課題を解決するための手段】
前記目的を達成するため、本発明においては、双方向サービスを利用する利用者の識別ＩＤ、氏名、年齢、性別、住所また、本システムを通じて商品を購入すると付与されるポイント数といった利用者属性情報を記憶する手段と、データ放送番組（ホームページ）で案内する商品の識別ＩＤ、商品名、原価、仕入れ個数、割引率といった商品情報を記憶する手段と、広告情報の配信と利用者が発信した広告商品注文データを受信する手段とを有する双方向サービスシステムにおいて、前記利用者情報と前記広告商品注文データをもとに広告商品割引情報を算出する手段と、前記広告商品割引情報を利用者端末に転送する手段を付加する。利用者が気に入った商品を購入選択した時点で、利用者識別ＩＤを含む商品注文情報を回線経由して双方向サービスシステムに転送し、前記データ受信手段で受信する。広告商品注文データの利用者識別ＩＤをもとに、前記利用者属性情報から各種情報を取得し、前記広告商品割引算出手段で商品単位に最適な広告商品割引率を算出する。前記広告商品割引算出手段は、番組単位の最適商品情報をデータ受発信機能に転送する。データ受発信機能は、商品情報をもとに該当する広告番組を再編集して配信し、利用者端末は前記再編集データ放送番組（ホームページ）の広告番組を各種双方向サービスへ配信する。
【０００７】
すなわち、本発明による広告システムは、利用者の注文情報を元に、あらかじめ設定している当該広告商品割引情報をもとに計算した最新の商品割引広告を配信する手段を備えることを特徴とする。
【０００８】
【発明の実施の形態】
以下、本発明の実施例を図を用いて説明する。
【０００９】
最初に、本発明による双方向サービスシステムにおける広告システムの全体構成を図１に示す。この広告システムは、双方向サービスを処理し、かつ番組利用者の商品注文情報を商品単位で収集し、商品割引情報を算出する中央処理装置１、利用者情報と商品情報を記憶する外部記憶装置２、データ放送番組（ホームページ）の受信と表示、および商品注文に関するデータ入力が可能であり、またその入力データを中央処理装置１へ転送する利用者端末３から構成される。
【００１０】
中央処理装置１は、利用者情報を管理する利用者情報管理機能１５、商品情報を管理する商品情報管理機能１３、利用者端末３からの転送データを受信するデータ受発信機能１１、データ受発信機能１１で受信したデータを関連機能へ転送する販売管理機能１４、商品情報管理機能１３で管理する商品情報をもとに商品単位で最適な割引率を算出する割引価格算出機能１２、割引価格算出機能１２で算出された商品情報を利用者端末３に転送するデータ受発信機能１１を備える。
【００１１】
外部記憶装置２は、商品を識別できるＩＤ情報、商品の名称、原価、仕入れ個数、割引率といった情報を含む商品情報２１、利用者識別ＩＤ情報、氏名、会員属性、年齢、性別、住所および商品購入に関する蓄積ポイントを含む利用者情報２２を備える。
【００１２】
利用者端末３は、データ放送番組（ホームページ）を表示する番組表示機能３１と利用者識別情報や商品識別情報などの注文関係データを入力するデータ入力機能３２と入力データを中央処理装置１へ転送するデータ伝送機能３３を備える。
【００１３】
次に、図２は、広告商品割引処理の処理説明である。
【００１４】
事前処理として、マスタ情報となる利用者情報と商品情報を登録する。中央処理装置１において、双方向サービスを利用する利用者の識別ＩＤ、氏名、年齢、性別、住所、会員／非会員の別を示す会員属性を含む利用者情報２２を入力し、外部記憶装置２に記憶する（Ｓ１）。また、双方向サービスで提供する商品の識別ＩＤ、商品名、原価、仕入れ個数及び割り引き情報を含む商品情報２１を入力し、外部記憶装置２に記憶する（Ｓ２）。
【００１５】
以後、リアルタイム広告商品割引処理を行う。データ放送番組として商品案内番組（ホームページ）を配信する（Ｓ３）。利用者が利用者端末３を操作して商品案内番組（ホームページ）を選択、表示する（Ｓ４）。利用者が利用者端末３を操作して商品案内番組（ホームページ）から商品を注文する（Ｓ５）。利用者端末３は、選択された商品注文情報を中央処理装置１へ伝送する（Ｓ６）。中央処理装置１は、商品注文情報の利用者識別情報と商品識別情報をもとに、商品情報データベース２１および利用者情報２２へ商品毎の注文情報を蓄積する（Ｓ７）。中央処理装置１は、商品注文情報の商品識別情報ごとに販売個数を集約し、一定間隔ごとに広告商品割引情報を算出する（Ｓ８）。中央処理装置１は、商品識別情報ごとに商品割引情報をデータ受発信機能１１へ伝送し、データ受発信機能１１は商品割引情報を当該番組に対する商品案内番組に編集してデータ放送する（Ｓ９）。利用者端末３は、選択された商品広告情報の番組（ホームページ）を表示する（Ｓ１０）。
【００１６】
上記の実施例によれば、中央処理装置１において、利用者情報、商品割引算出情報を保持し、商品注文情報を収集することで、該当商品の割引価格を一定の間隔で算出し、当該番組（ホームページ）閲覧中にでも最新の商品割引情報を配信するという一連の動作により、該当商品に対して利用者に購買意欲を与えることができ、売上向上を実現する効果が期待できるものである。
【００１７】
【発明の効果】
本発明によると、双方向サービスシステムに注文情報を元にしたリアルタイム商品割引情報表示機能を付加することにより、利用者に対して最新の広告商品情報を提供することができる。
【図面の簡単な説明】
【図１】本発明による双方向サービスにおけるリアルタイム広告商品割引情報表示機能を備えた広告システムの全体構成図。
【図２】本発明における最適商品選択処理の処理フロー。
【符号の説明】
１…中央処理装置、
１１…データ受発信機能、
１２…割引価格算出機能、
１３…商品情報管理機能、
１４…販売管理機能、
１５…利用者情報管理機能、
２…外部記憶装置、
２１…商品情報データベース、
２２…利用者情報データベース、
３…利用者端末、
３１…番組表示機能、
３２…データ入力機能、
３３…データ受発信機能、
４…販売システム（別システム）
【図１】
2004062472.tif 000003
【図２】
2004062472.tif 000004